(57)【特許請求の範囲】
【請求項１】
各種の信号や電力を供給するケーブルと、このケーブルを嵌挿させるケーブル案内孔が上面に形成された筐体からなる装置本体と、該装置本体内に配設され、投入された硬貨を正貨と偽貨とに選別する硬貨選別部とを少なくとも有する硬貨処理装置において、
前記ケーブルの上端側に形成された略Ｕの字形状のケーブル折曲げ部と、
前記装置本体内に形成され、上面に前記略Ｕの字形状のケーブル折曲げ部を嵌挿するスリットと該スリットへ向け傾斜して形成された蓋体とを有し、底部側方に前記装置本体の背面に連通する液物排出口が形成された液物収容ボックスとを具え、
前記ケーブルおよびケーブル案内孔を介し落下する液物を、前記スリットと該スリットへ向け傾斜した蓋体により前記液物収容ボックス内に落下させて収容し、該液物収容ボックス内に収容された液物を前記液物排出口を介し前記装置本体の背面へ排出するようにしたことを特徴とする硬貨処理装置。
【発明の詳細な説明】
【０００１】
【発明の属する技術分野】
この発明は自動販売機、両替機、サービス機器等に使用され、投入硬貨を金種別に選別収容するとともに、選別収容された硬貨を釣銭として払い出す硬貨処理装置に関する。
【０００２】
【従来の技術】
自動販売機、両替機、サービス機器等には、従来から投入硬貨を金種別に選別収容するとともに、この選別収容された硬貨を釣銭として払い出す硬貨処理装置が装着されている。
【０００３】
この硬貨処理装置は大別すると次の３つの部分から構成されている。
【０００４】
その第１は硬貨処理装置の筐体を構成する装置本体であり、この装置本体の最下部には釣銭を払い出す硬貨払出部が配設されている。
【０００５】
第２は、上述した硬貨払出部の直上に配設され、選別された硬貨を金種別に収容する硬貨収容部である。なお、この硬貨収容部は複数のコインチューブから構成されており、この硬貨収容部は上述した硬貨処理装置の装置本体に対し着脱自在に装着されている。
【０００６】
そして、第３は、上述した硬貨収容部の直上に配設され、投入硬貨の正偽と正貨を金種別に選別する硬貨選別部である。
【０００７】
このような構成の硬貨処理装置では、投入硬貨は最初に硬貨選別部に入り、そこで硬貨の正偽と正貨の金種別選別とが行われ、このうち正貨は金種別に硬貨収容部内に選別収容され、さらに釣銭の金種が特定されると、最下部に配設された硬貨払出部により硬貨収容部内に収容された硬貨が、釣銭の金額に応じて選択され払い出される。
【０００８】
一方、上述した硬貨処理装置の装置本体を構成する筐体内には、各種の電子機器、硬貨を払出すペイアウトスライドやこれを駆動するモータあるいはソレノイドプランジャ等の多数の電子機器が配設されている。
【０００９】
【発明が解決しようとする課題】
ところで、上述したように硬貨処理装置の装置本体を構成する筐体の内部には、各種の電子機器、硬貨を払出すペイアウトスライドやこれを駆動するモータあるいはソレノイドプランジャ等の多数の電子機器が配設されていることから、例えば、装置本体を構成する筐体の上面からその内部に洗剤等の粘着質な液物が落下すると、その液物は硬貨処理装置を構成する各部材内に流れこみ、その結果ソレノイド等の電子機器や各種の駆動機器に付着し、その作動を不良ならしめ、この結果、硬貨処理装置の機能低下を招く問題点があり、またこれらの機器に付着した粘着質な液体が乾燥すると、これら機器の作動をロックさせることもあり、このため硬貨処理装置そのものの機能が停止してしまう問題点もあった。
【００１０】
そこで、従来では硬貨処理装置の各部に液物排出手段を設けたものが数多く提案されているが、特に、硬貨処理装置の外部から内部へ向け配設された、各種の信号や電力を供給するケーブルを伝わって流れる液物については、その排除が極めて困難であった。
【００１１】
この発明は上述した事情に鑑み、ケーブルを伝わって内部に侵入する液物を迅速に排出させるようにした硬貨選別装置を提供することを目的とする。
【００１２】
【課題を解決するための手段】
上述した、目的を達成するため、この発明では、各種の信号や電力を供給するケーブルと、このケーブルを嵌挿させるケーブル案内孔が上面に形成された筐体からなる装置本体と、該装置本体内に配設され、投入された硬貨を正貨と偽貨とに選別する硬貨選別部とを少なくとも有する硬貨処理装置において、前記ケーブルの上端側に形成された略Ｕの字形状のケーブル折曲げ部と、前記装置本体内に形成され、上面に前記略Ｕの字形状のケーブル折曲げ部を嵌挿するスリットと該スリットへ向け傾斜して形成された蓋体とを有し、底部側方に前記装置本体の背面に連通する液物排出口が形成された液物収容ボックスとを具え、前記ケーブルおよびケーブル案内孔を介し落下する液物を、前記スリットと該スリットへ向け傾斜した蓋体により前記液物収容ボックス内に落下させて収容し、該液物収容ボックス内に収容された液物を前記液物排出口を介し前記装置本体の背面へ排出するようにしている。
【００１３】
【発明の実施の形態】
以下、この発明に係わる硬貨処理装置の一実施例を詳述する。
【００１４】
図１はこの発明に係わる硬貨処理装置１の正面図である。
【００１５】
この硬貨処理装置１も、従来と同様に大別すると次の３つの部分から構成されている。
【００１６】
その第１は硬貨処理装置１の筐体を構成する装置本体２であり、この装置本体２の最下部には釣銭を払い出す硬貨払出部３が配設されている。
【００１７】
第２は硬貨払出部３の直上に配設され、選別された硬貨を金種別に収容する硬貨収容部４である。なお、この硬貨収容部４も従来と同様に複数のコインチューブから構成されており装置本体２に対し着脱自在に装着されている。
【００１８】
そして、第３は前記硬貨収容部４の直上に配設され、硬貨投入口Ａから投入された硬貨の正偽と正貨を金種別に選別する硬貨選別部５である。なお、この硬貨選別部５も従来と同様に装置本体２に対し着脱自在に装着されている。
【００１９】
一方、装置本体２の上面図で示す図２のように、当該装置本体２の上面１０には、その周縁に沿って凹部１１が形成されている。また、この凹部１１の底面は装置本体２の背面１２側へ向け傾斜するように形成され、またその背面１２側の中央部には切り欠１３が前記凹部１１内と連通するように形成されている。
【００２０】
このような装置本体２の上面１０によると、当該上面１０に落下した液物は、矢印Ｂで示すように、凹部１１により装置本体２の背面１２側に案内され、さらに切り欠１３を介し背面１２の下方へ落下する。
【００２１】
一方、装置本体２の背面を示す図３のように、装置本体２の背面１２には複数本の凹部１４からなる液物案内溝１５が形成されている。
【００２２】
この液物案内溝１５は、上流端が前記切り欠１３に臨み、途中で右側に折れ曲がり、そのまま下流端１５ａが装置本体２の右側縁に沿って下方へ延出するように形成されている。
【００２３】
この液物案内溝１５の途中には、装置本体２の背面１２上方から右方向に横切って形成された、これも複数本の凹部１６からなる液物案内溝１７が交わっており、さらに装置本体２の背面１２下方からも複数本の凹部１８からなる液物案内溝１９が交わっている。
【００２４】
従って、上述した各凹部１４、１６、１８から構成された各液物案内溝１５、１７、１９によると、装置本体２の上面１０に落下した液物のうち、図２に示す凹部１１内に落下した液物は、図３に示す前記液物案内溝１５を介し装置本体２の背面１２右側へ案内され、さらに下方に落下して装置本体２の外部へ迅速に排出される。
【００２５】
一方、図２に示す装置本体２の上面１０からオーバーフローした液物は、図３に示す装置本体２の背面１２途中から右方向に横切って形成された前記２本の液物案内溝１７、１９により捕集され、さらに液物案内溝１５側へ案内されて装置本体２の外部へ迅速に排出されることとなる。
【００２６】
一方、この装置本体２内には、その内部に配設された各種の電子機器へ電力や信号を送給するケーブル２０が配設されている。
【００２７】
このケーブル２０は、図２に示すように装置本体２の上面１０左側方からその内部へ向け延出されている。
【００２８】
したがって、このケーブル２０に落下した液物は、当該ケーブル２０を伝わって装置本体２内へ侵入する虞がある。
【００２９】
一方、この硬貨処理装置１では、図３で示すように、装置本体２内の上方にケーブル２０を伝わって落下する液物を一旦収容する液物収容ボックス３０が形成されている。
【００３０】
この液物収容ボックス３０は、図３の要部破断拡大図で示す図４のように、装置本体２に一体形成された断面略コの字形状のボックス本体３１と、このボックス本体３１の上面を覆う蓋体３２とから構成されている。
【００３１】
このうち蓋体３２の中央部にはスリット３３が形成され、このスリット３３内にはケーブル２０の上端側２０ａを略Ｕの字形状に折曲げたケーブル折曲げ部２０ｂが嵌挿している。
【００３２】
またこの蓋体３２は、図４のＣＣ概念断面で示す図５のように中央に前記ケーブル折曲げ部２０ｂの嵌挿用のスリット３３を形成すべく装置本体２と一体に形成された一方の蓋体部３２ａと、装置本体２の内部を覆うセンターカバー３４と一体に形成された他方の蓋体部３４ａとから構成され、各蓋体部３２ａ、３４ａの上面はスリット３３へ向け傾斜して形成されている。
【００３３】
また、上述したボックス本体３１の底面３１ａは装置本体２の背面１２側へ向け傾斜して形成され、その終端には液物排出口３１ｂが２カ所（図３）形成されている。
【００３４】
また、図３で示すように、上述した液物排出口３１ｂの下方に位置する装置本体２の背面１２には、複数の凹部４０からなる液物案内溝４１が形成され、この液物案内溝４１の終端は前記液物案内溝１５に連通している。
【００３５】
なお、図４および図５で、符号５０は装置本体２の上面１０に形成されたケーブル案内孔１０ａを覆うとともに、ケーブル２０の上端側２０ａを把持するケーブルガイド、５１はケーブル２０の姿勢を規制するガイド棒である。
【００３６】
次に上述した液物収容ボックス３０の作用を説明する。
【００３７】
図４で示すように、ケーブル２０を伝わって落下する液物（矢印Ｃ）は、スリット３３を介して液物収容ボックス３０のボックス本体３１内に一時収容され、このボックス本体３１内に一時収容された液物は図５の矢印Ｄで示すように、ボックス本体３１の傾斜した底面３１ａを介し液物排出口３１ｂへ案内され、この液物排出口３１ｂから排出された液物は、図３に示す複数の凹部４０からなる液物案内溝４１を介し液物案内溝１５に案内され、装置本体２の外部へ迅速に排出されることとなる。
【００３８】
また、図５に示すようにケーブル案内孔１０ａ周辺から落下する液物（矢印Ｅ）は、傾斜した各蓋体部３２ａ、３４ａを有する蓋体３２により捕集され、この蓋体３２に捕集された液物はスリット３３を介しボックス本体３１内に落下し（図４）、そこに一時収容され、その後このボックス本体３１内に収容された液物は上述したと同様の経路を経て装置本体２の外部へ迅速に排出されることとなる。  したがって、上述した液物収容ボックス３０によると、ケーブル２０およびケーブル案内孔１０ａを介し落下する液物はスリット３３と該スリット３３へ向け傾斜した蓋体３２により液物収容ボックス３０内に落下して収容され、またこの液物収容ボックス３０内に収容された液物は液物排出口３１ｂを介し装置本体２の背面１２へ迅速に排出されることとなる。
【００３９】
【発明の効果】
以上説明したように、この発明の硬貨処理装置では、ケーブルの上端側に形成されたケーブル折曲げ部を装置本体内に形成されたスリットを有する液物収容ボックス内に配設するとともに、この液物収容ボックスの蓋体をスリットへ向け傾斜させ、ケーブルおよびケーブル案内孔を介し落下する液物を、スリットと蓋体とにより液物収容ボックス内に落下させ、さらにこの落下した液物を液物収容ボックス側方に形成された液物排出口を介し装置本体の背面へ迅速に排出させるようにしたから、ケーブルおよびケーブル案内孔を介し落下する液物を装置本体内の各部に付着させることを可及的に阻止し、これにより長期に亘り安定した機能を営む硬貨処理装置を提供することができ、また液物を投入するという悪戯に対して硬貨処理装置を有効に保護することができる。
【図面の簡単な説明】
【図１】図１はこの発明に係わる、硬貨処理装置の正面図。
【図２】図２はこの発明に係わる硬貨処理装置の上面図。
【図３】図３は発明に係わる硬貨処理装置の背面図。
【図４】図４は図３の要部破断面図。
【図５】図５は図４のＣＣ断面図である。
【符号の説明】
１…硬貨処理装置
２…装置本体
５…硬貨選別部
１０ａ…ケーブル案内孔
１１…凹部
１５…液物案内溝
２０…ケーブル
２０ａ…ケーブルの上端側
２０ｂ…ケーブル折曲げ部
３０…液物収容ボックス
３１ａ…底部
３１ｂ…液物排出口
３２…蓋体
３３…スリット
【図１】
0003701116.tif 000002
【図２】
0003701116.tif 000003
【図３】
0003701116.tif 000004
【図４】
0003701116.tif 000005
【図５】
0003701116.tif 000006